(57)【要約】【課題】簡単な機構で撮影絞りの開口の位置あるいは大きさを高速に切り換えて眼底のモノラル撮影並びにステレオ撮影が可能な眼科撮影装置を提供する。【解決手段】固定絞り板３１、移動絞り板３２、遮蔽板３３、３３’からなる撮影絞りユニットが設けられる。移動絞り板３２には、複数の開口３２ａ、３２ｄ、３２ｄ’が形成され、モノラル撮影時には、移動絞り板が下方に移動して固定絞り板の中央絞り３１ａが開放して眼底がモノラル撮影される。ステレオ撮影時には、移動絞り板が上方に移動して中央絞り３１ａが閉鎖され、この状態で遮蔽板３３、３３’が開位置あるいは閉位置に移動して、ステレオ撮影用の開口３２ｄ、３２ｄ’が交互に開放され眼底のステレオ撮影が行われる。このような構成では、撮影絞りの開口を高速に切り換えることができるので、簡単な構成でモノラル撮影並びにステレオ撮影を高速に行うことができる。【選択図】図５
2008055010.tif 000002
【特許請求の範囲】
【請求項１】
撮影絞りを介して被検眼を電子画像として撮影する撮像手段と、
撮影された被検眼画像を記録する記録手段と、
第１移動板と第２移動板を移動させて撮影絞りの開口を切り換える切換機構とを備え、
前記第１移動板はモノラル撮影絞りの開口とステレオ撮影絞りの開口を切り換える開口切り換え板であり、
前記第２移動板は前記第１移動板の複数開口のいずれかを開放または遮光する移動遮光板であり、
前記第１移動板と前記第２移動板の組み合わせによりモノラル撮影絞りまたはステレオ撮影絞りが形成されることを特徴とする眼科撮影装置。
【請求項２】
前記モノラル撮影絞りは単一開口であり、前記ステレオ撮影絞りは左右対称な２つの開口であることを特徴とする請求項１に記載の眼科撮影装置。
【請求項３】
１回のシャッタ操作で、前記ステレオ撮影絞りの２つの開口を順次切り換えることを特徴とする請求項１又は２に記載の眼科撮影装置。
【請求項４】
前記第１移動板は、第１の位置にあるときモノラル撮影絞りを光軸の位置に配置させ、第２の位置にあるときステレオ撮影絞りの２つの開口を光軸を中心として左右の対称な位置に配置させることを特徴とする請求項１から３のいずれか１項に記載の眼科撮影装置。
【請求項５】
前記第１移動板が第２の位置にあるとき、第２移動板の移動により前記ステレオ撮影絞りの２つの開口が交互に開閉されることを特徴とする請求項４に記載の眼科撮影装置。
【請求項６】
前記第２移動板は、前記ステレオ撮影絞りの２つの開口に対してそれぞれ個別に設けられた移動板から構成されることを特徴とする請求項１から５のいずれか１項に記載の眼科撮影装置。
【請求項７】
前記第１移動板には、ピント合わせのためのフォーカス指標光を通過させる２つ開口が形成され、第１移動板が第１の位置にあるときに、フォーカス指標光がそれぞれ該２つの開口を通過して被検眼に投影されることを特徴とする請求項４から６のいずれか１項に記載の眼科撮影装置。
【請求項８】
前記第１移動板には、前記ステレオ撮影絞りの２つの開口をそれぞれ開放させる２つの開口が開口中心間隔を変えて複数対形成されており、いずれかの開口対が選択されてステレオ撮影時の瞳間距離が可変にされることを特徴とする請求項１から７のいずれか１項に記載の眼科撮影装置。
【請求項９】
前記第１移動板には、第１移動板の移動方向に沿ってアライメント指標光投影のための光ファイバーを通過させる長穴が形成されることを特徴とする請求項１から８のいずれか１項に記載の眼科撮影装置。
【発明の詳細な説明】
【技術分野】
【０００１】
本発明は、眼科撮影装置、更に詳細には、被検眼眼底を複数開口を有する撮影絞りを介して電子画像として撮影する眼科撮影装置に関する。
【背景技術】
【０００２】
従来から、緑内障の診断のために眼底の立体形状を把握することが求められており、そのために、いわゆるステレオ撮影として、同一被検眼に対し左右に視差を持った２枚の画像を撮影して、それらの画像を対にして表示することにより、被検眼眼底を立体視することが行われている。
【０００３】
この視差を持った画像を撮影可能な眼底カメラでは、対物レンズに対して被検眼の前眼部と共役（瞳孔と共役）な位置に、左右２つの開口が形成された撮影絞り（２孔絞り）が設けられ、各開口を通過した眼底からの光束をそれぞれフィルム面ないしは撮像素子の撮像面に左右の画像として撮影し、被検眼眼底の立体視用の画像を得ている。
【０００４】
下記の特許文献１に記載された眼底カメラの構成では、２孔絞りで左右に分離された２光束のそれぞれを光束分離プリズムと別々の２つの光学系を介して別々にフィルム面に結像し、左右の画像を同時に撮影している。また、２孔絞りの左右２つの孔の中心間距離が可変になっており、これにより瞳間距離が可変となっている。
【０００５】
しかしながら、特許文献１のような構成は、ステレオ撮影専用であり、ステレオ撮影と通常のモノラル撮影を切り換えて行うことができない。また、上記２つの光学系を設けるため、構成が複雑で大型化し、高価なものとなってしまう。
【０００６】
また、シャッタ操作に応じて撮影絞りの一方の孔からの撮影を他方の孔からの撮影に切り換えて、連続して左右用の２枚の画像を取得する眼底カメラ（特許文献２）、あるいは１ショットで１枚目の画像を取得し、続いて２枚目の画像を連続して取得して、各画像を交互にモニタに表示できる眼底カメラが知られている（特許文献３）。
【特許文献１】特許２９７７６０７号公報
【特許文献２】特開昭５９−９０５４７号公報
【特許文献３】特開平１０−７５９３２号公報
【発明の開示】
【発明が解決しようとする課題】
【０００７】
ステレオ撮影が可能な眼科撮影装置では、ステレオ撮影時に左右の絞り開口の切り換えを瞬時に行うようにスピードが要求される。しかし、従来の構成では、モノラル撮影とステレオ撮影時の絞り開口の切り換え並びにステレオ撮影時の左右の絞り開口の切り換えを十分に高速に行うことができないという問題があった。
【０００８】
また、移動絞り板を移動させて絞り開口を切り換える場合、ワーキングディスタンスを調整するためのアライメント指標光を導く光ファイバーと移動絞り板が空間的に干渉してしまうため、光ファイバーを配置することが機構上難しいという問題があった。
【０００９】
さらに、この撮影絞り機構で簡単な構造により瞳間距離を変えてステレオ撮影できることが望まれている。
【００１０】
そこで本発明は、簡単な機構で他の光学要素と干渉することなく撮影絞りの開口の位置あるいは大きさを高速に切り換えて眼底のモノラル撮影並びにステレオ撮影が可能な眼科撮影装置を提供することを課題とする。
【課題を解決するための手段】
【００１１】
上記の課題を解決するため、本発明の眼科撮影装置は、
撮影絞りを介して被検眼を電子画像として撮影する撮像手段と、
撮影された被検眼画像を記録する記録手段と、
第１移動板と第２移動板を移動させて撮影絞りの開口を切り換える切換機構とを備え、
前記第１移動板はモノラル撮影絞りの開口とステレオ撮影絞りの開口を切り換える開口切り換え板であり、
前記第２移動板は前記第１移動板の複数開口のいずれかを開放または遮光する移動遮光板であり、
前記第１移動板と前記第２移動板の組み合わせによりモノラル撮影絞りまたはステレオ撮影絞りが形成されることを特徴とする。
【発明の効果】
【００１２】
本発明によれば、２つの移動板を移動させることにより撮影絞りの開口を高速に切り換えることができるので、簡単な構成でモノラル撮影並びにステレオ撮影を高速に行うことができる。また、移動板に、ステレオ撮影絞りの２つの開口をそれぞれ開放させる一対の開口を、開口中心間隔を変えて複数対形成し、いずれかの開口対を選択することにより、簡単な構成でステレオ撮影時の瞳間距離を変えることが可能となる。更に、移動板に、その移動板の移動方向に沿ってアライメント指標光投影のための光ファイバーを通過させる長穴を形成することにより、光ファイバーと移動板が空間的に干渉するのを防止でき、アライメント指標光の投影を支障なく行うことができる。
【発明を実施するための最良の形態】
【００１３】
以下、図面に示す実施の形態に基づいて本発明を詳細に説明する。ここでは被検眼眼底の撮影を無散瞳モード、散瞳モード、及び蛍光モードのそれぞれで行え、各モードで通常のモノラル撮影とステレオ撮影を切り換えて行えるように構成された眼科撮影装置の実施例を示す。
【実施例１】
【００１４】
図１において、本実施例の眼科撮影装置は、被検眼眼底を撮影する眼底カメラ１０、撮影された眼底画像を記録する記録手段としてのメモリ６１とハードディスク装置６４、撮影された眼底画像ないし記録された眼底画像を表示するモニタ６２及びステレオモニタ６３などにより構成される。
【００１５】
一点鎖線で囲まれて図示された眼底カメラ１０には、赤外光並びに可視光の照明光を発光する観察用光源としてのハロゲンランプ１１が球面ミラー１２の曲率中心に配置されている。ハロゲンランプ１１並びに球面ミラー１２からの光は、光路に挿脱可能な可視光カット赤外光透過フィルタ１３、コンデンサーレンズ１４、撮影用光源であるフラッシュランプ１５、コンデンサーレンズ１６を経て、全反射ミラー１７に入射する。
【００１６】
全反射ミラー１７で反射した照明光は、照明絞りとしてのリングスリット２１を経てリレーレンズ２２を通過し、穴あき全反射ミラー（以下、穴あきミラーと略す）２３で反射され、対物レンズ２４を経て被検眼Ｅの前眼部（瞳）Ｅｐに入射する。
【００１７】
リングスリット２１は、照明光学系内に被検眼の前眼部（瞳）Ｅｐとほぼ共役な位置に配置され、図２に示すように、３種類のリングスリット２１ａ、２１ｂ、２１ｃが用いられる。リングスリット２１ａは、無散瞳モードのときに使用され、ステレオで蛍光撮影を行うときは、リングスリット２１ｂが、またその他のときはリングスリット２１ｃが光路に挿入される。リングスリット２１ａと２１ｃの内径はほぼ同じで外径は無散瞳のものが小さくなっており、またリングスリット２１ｂと２１ｃの外径はほぼ同じになっている。
【００１８】
なお、照明光学系の光路には、蛍光撮影時にエキサイタフィルタ１８が挿入される。
【００１９】
また、前眼部でアライメントを行うときのために、前眼部Ｅｐを赤外光で照明する赤外ＬＥＤ（発光ダイオード）からなる光源２７と、前眼部を撮影するために、前眼部を微弱白色光で照明するＬＥＤからなる光源２８が配置される。
【００２０】
リングスリット２１を通過した照明光で照明された眼底Ｅｒからの反射光は、対物レンズ２４、穴あきミラー２３、固定絞り板３１、移動絞り板３２、合焦レンズ３５、結像レンズ３６、ハーフミラー３７、変倍レンズ３８ａを通過してリターンミラー３９に入射する。リターンミラー３９が図示の位置にあり、リターンミラー７１が図示の位置から回動して光路から離脱した状態では、眼底からの反射光が赤外光に感度を有し眼底と共役な位置にある撮像手段としてのＣＣＤ４０に入射し、眼底がＣＣＤ４０により撮像される。
【００２１】
また、リターンミラー３９と７１が図示の位置にある状態では、眼底からの反射光が接眼レンズ７２に導かれる。さらに、リターンミラー３９が光路から離脱すると、眼底からの反射光が可視光に感度を有する眼底と共役な撮像手段としてのＣＣＤ４１に入射し、眼底がＣＣＤ４１により撮像される。
【００２２】
穴あきミラー２３は、図３に示すように、横長の楕円形状の開口２３ａを中心部に設けた円形の全反射ミラーであり、開口２３ａの中心が撮影光軸２６と一致する位置で、撮影光軸に対して所定角度傾斜して交わるように配置されている。
【００２３】
また、固定絞り板（撮影絞り）３１、移動絞り板（第１移動板）３２、及び図４と図５に示す左右の遮光板（第２移動板）３３，３３’、及びソレノイド（切換機構ないし切換手段）８１Ａ〜８１Ｃにより撮影絞りユニット８０が構成される。
【００２４】
固定絞り板３１は、図４に示すように、穴あきミラー２３の開口２３ａより一回り大きな長方形の平板として形成されており、その中央と左右に３つの長方形の絞り開口３１ａ，３１ｂ，３１ｂ’（以下、順に中央絞り、左絞り、右絞りという）が並んで形成されている。また、ワーキングディスタンス（ＷＤ）を調整するためのアライメント指標光を導く光ファイバー（以下、ＷＤファイバーという）７５、７５’の先端部を挿通して固定するための２つの穴３１ｃ，３１ｃ’が形成されている。
【００２５】
そして固定絞り板３１は、その中心（中央絞り３１ａの中心）を穴あきミラー２３の中心（開口２３ａの中心、撮影光軸２６の位置）に合わせて穴あきミラー２３の裏面（対物レンズ２４と反対側の面）に重ねて固定され（図６、図７参照）、撮影光軸２６に対して穴あきミラー２３と同角度で傾斜して配置される。
【００２６】
絞り３１ａ，３１ｂ，３１ｂ′は被検眼前眼部（瞳）とほぼ共役な位置に配置される。そして、中央絞り３１ａは、その中心が撮影光軸２６（対物レンズ２４の光軸）と一致する位置に配置される。左絞り３１ｂは、立体視用の左右の画像を得るために撮影光路を瞳共役位置で左右に分割するときの左側光路位置に配置され、眼底にピントを合わせるためのフォーカス指標光（以下、ＦＤ光という）がこの左絞り３１ｂを通過する。また右絞り３１ｂ’は、上記撮影光路を瞳共役位置で左右に分割するときの右側光路位置に配置され、他方のＦＤ光がこの右絞り３１ｂ’を通過する。
【００２７】
穴あきミラー２３の開口２３ａの大きさは、同ミラー２３と固定絞り板３１の中心を合わせた状態で、絞り３１ａ，３１ｂ，３１ｂ’の開口のほぼ全体を開口２３ａ内に包含できる大きさとなっている。
【００２８】
また、移動絞り板３２は、図４に示すように、固定絞り板３１より縦長の長方形の平板として形成され、上部の中央に観察及びモノラル撮影用の長方形の中央絞り３２ａが、また、下部の左右にステレオ撮影用の長方形のステレオ絞り３２ｄ，３２ｄ’が形成されている。また、それぞれＦＤ光を通すための長方形のＦＤ光用窓（開口）３２ｂ，３２ｂ’が中央絞り３２ａの左右両側でステレオ絞り３２ｄ，３２ｄ’より外側にずれた位置のそれぞれに形成されている。さらに、２つのＷＤファイバー逃げ用の長穴３２ｃ，３２ｃ’が中央絞り３２ａの下半部の左右両側近傍からステレオ絞り３２ｄ，３２ｄ’の上半部の内側近傍にかけて縦方向、つまり移動絞り板の移動する方向に沿って延びるように形成されている。
【００２９】
中央絞り３２ａの大きさは、固定絞り板３１の中央絞り３１ａとほぼ同じ大きさとなっている。また、ＦＤ光用窓３２ｂ，３２ｂ’とステレオ絞り３２ｄ，３２ｄ’の大きさは、固定絞り板３１の左右の絞り３１ｂ，３１ｂ’に対して横幅がほぼ１／２の大きさとなっている。
【００３０】
ここで、中央絞り３２ａの開口はモノラル撮影絞りの開口となっており、またステレオ絞り３２ｄ，３２ｄ’の開口はステレオ撮影絞りの開口となっている。移動絞り板３２は、これらのモノラル撮影絞りの開口とステレオ撮影絞りの開口を切り換える開口切り換え板の機能を有している。
【００３１】
また、左右の遮光板３３，３３’は、それぞれ固定絞り板３１の左右の絞り３１ｂ，３１ｂ’より大きな長方形に形成されている。
【００３２】
そして、図６及び図７に示すように、穴あきミラー２３の裏面（対物レンズ２４と反対側の面）に重ねて固定された固定絞り板３１の裏面に遮光板３３，３３’が重なるように配置され、さらにその裏面に移動絞り板３２が重なるように配置される。なお遮光板３３，３３’と移動絞り板３２を重ねる順序を図示と逆にしてもよい。
【００３３】
また、図７に示すように、ＷＤファイバー７５の先端部が移動絞り板３２の裏面側から逃げ用の長穴３２ｃに挿通され、さらに固定絞り板３１の穴３１ｃに挿通され、先端が開口２３ａの中央部から対物レンズ２４側に突出するようにして、穴３１ｃの部分で固定される。また、図７には図示していないが、もう１本のＷＤファイバー７５’の先端部が移動絞り板３２の裏面側から長穴３２ｃ’に挿通され、さらに固定絞り板３１の穴３１ｃ’に挿通されて、穴３１ｃ’の部分で固定される。なお、ＷＤファイバー７５は遮光板３３，３３’には干渉しないように配置されている。
【００３４】
図１に示すように、ワーキングディスタンス（ＷＤ）を調節するためのアライメント指標光（以下、ＷＤ光という）の光源としてのＷＤ用ＬＥＤ７３が設けられ、これから発せられた光がレンズ７４により集光されてＷＤファイバー７５の後端に導かれ、ＷＤファイバー７５を通り、その先端から対物レンズ２４を介してＷＤ光として被検眼Ｅに投影される。
【００３５】
上記のように固定絞り板３１、移動絞り板３２、及び遮光板３３，３３’を重ねて配置した状態では、図５に示すように、左右方向の位置に関して、中央絞り３１ａ，３２ａどうしが一致し、左絞り３１ｂと左のステレオ絞り３２ｄ及びＦＤ光用窓３２ｂが一致し、さらに右絞り３１ｂ’と右のステレオ絞り３２ｄ’及びＦＤ光用窓３２ｂ’が一致するようになっている。
【００３６】
移動絞り板３２は、不図示のガイド部材を介して、ソレノイド８１Ｃをオフにすることにより中央絞り３２ａが固定絞り板３１の中央絞り３１ａを開放させる第１の位置（以下（ａ）位置という）に移動され、ソレノイド８１Ｃをオンにすることにより、該中央絞り３１ａを遮光し閉鎖させる第２の位置（以下（ｂ）位置という）に移動される。
【００３７】
遮光板３３は、ソレノイド８１Ａのオンにより不図示のガイド部材を介して左絞り３１ｂと左のステレオ絞り３２ｄないしＦＤ光用窓３２ｂを閉鎖させる位置（以下、閉位置という）に移動され、ソレノイド８１Ａのオフにより逆方向に移動してそれらを開放させる位置（以下、開位置という）に移動される。一方、遮光板３３’は、ソレノイド８１Ｂのオンにより右絞り３１ｂ’と右のステレオ絞り３２ｄ’ないしＦＤ光用窓３２ｂ’を閉鎖させる閉位置に移動され、ソレノイド８１Ｂのオフにより、それらを開放させる開位置に移動される。
【００３８】
図５は、ソレノイド８１Ｃのオンにより移動絞り板３２が（ｂ）位置に移動され、かつソレノイド８１Ａ、８１Ｂのオフにより遮光板３３，３３’が共に開位置に移動された状態を示している。この状態では、左右のステレオ絞り３２ｄ，３２ｄ’が有効な開口となる。この状態からソレノイド８１Ａまたは８１Ｂをオンにして遮光板３３または３３’を閉位置に移動させれば、ステレオ絞り３２ｄまたは３２ｄ’のみが有効な開口となる。
【００３９】
また、図５の状態でソレノイド８１Ｃをオフにし、移動絞り板３２を（ａ）位置に移動させれば、中央絞り３２ａ及びＦＤ光用窓３２ｂ，３２ｂ’が有効な開口となり、この状態から、ソレノイド８１Ａ及び８１Ｂをオンして遮光板３３及び３３’を閉位置に移動させれば、ＦＤ光用窓３２ｂ及び３２ｂ’が閉塞され、中央絞り３２ａのみが有効な撮影絞りの開口として選択される。
【００４０】
図１に戻って、対物レンズ２４と穴あきミラー２３間の光路には、前眼部レンズ３０が挿脱可能に配置され、前眼部レンズ３０が該光路に挿入されると、照明用光源２７で照明された前眼部Ｅｐの像がＣＣＤ４０に結像され、前眼部Ｅｐの像によりアライメントが行われるようになっている。
【００４１】
また、眼底カメラには、眼底にピントを合わせるのを容易にするためにＦＤ光（フォーカス指標光）の投影光学系が設けられる。この投影光学系において、光源としてのＦＤ用ＬＥＤ（赤外ＬＥＤ）５０からのＦＤ光は、ＦＤ光の光軸５７に沿って、レンズ５１、ミラー５２、レンズ５３を通過し、撮影絞りユニット８０の後方近傍に配置されたＵ字形部材（不図示）の上部に設けた２つのミラー５４で反射されて、それぞれＦＤ光用窓３２ｂ，３２ｂ’を通過して眼底Ｅｒに投影される。このとき、眼底でピントが合う場合には、各窓を通過した２つのフォーカス指標の像が一点に重なるように、またピントがズレている場合には、分離するように構成される。フォーカス調整のために、合焦レンズ３５が移動されると、それと連動してレンズ５３が移動し、眼底ＥｒでのＦＤ光の分離状態が変化するので、フォーカス指標の像を観察することにより、検者は、眼底にピントを合わせることができる。
【００４２】
なお、蛍光撮影時には、合焦レンズ３５の被検眼側にバリアフィルタ３４が挿入される。
【００４３】
また、被検眼Ｅを眼底カメラ１０に対して固視させるために、複数の固視灯５５ａ〜５５ｄからなる内部固視灯５５が設けられる。撮影する被検眼が左眼か右眼かにより、また眼底の撮影位置（乳頭付近か、離れた位置かなど）により固視灯５５ａ〜５５ｄの内いずれか１つが選択されて点灯される。点灯された固視灯からの光は、レンズ５６を通過してハーフミラー３７により反射されて撮影レンズ３６、合焦レンズ３５、撮影絞りユニット８０、穴あきミラー２３、対物レンズ２４を通過して眼底Ｅｒに投影される。患者はこの内部固視灯を固視することにより、眼底カメラ１０に対して被検眼Ｅを所定の位置に保持させることができる。なお、図面では、固視灯５５ａ〜５５ｄは、紙面に並置されて図示されているが、実際には、紙面に垂直に並置される。
【００４４】
ＣＣＤ４０は、無散瞳での観察時に可視光カット赤外光透過フィルタ１３を通過した赤外光で照明された眼底、あるいは光源２７からの赤外光で照明された前眼部を撮像し、その像は、ＣＰＵなどで構成される制御演算部６０に入力され、その画像がモニタ６２に動画像として表示される。検者は、モニタ６２に表示される画像を見て、アライメントやフォーカス調整を行うことができる。また、立体視専用ディスプレイとしてステレオモニタ６３が設けられ、検者は、このステレオモニタ６３を介して左右の画像を観察することにより眼底を立体視することができる。
【００４５】
また、ＣＣＤ４１は、検者がシャッタスイッチ６６を操作したときフラッシュランプ１５で照明された眼底を静止画として撮影する。この眼底像は、一旦高速なメモリ６１に格納され、制御演算部６０を介して外部記録装置としての低速なハードディスク装置（ＨＤＤ）６４に記録されたり、あるいはモニタ６２、ステレオモニタ６３に表示される。
【００４６】
また、キーボード６７、マウス６８などの入力手段が設けられ、これらの入力手段を介して、種々のデータが入力できるようになっている。
【００４７】
また、眼底カメラ１０には、ＣＰＵなどからなる制御部６５が設けられ、この制御部６５は、制御演算部６０と接続されて互いに信号を交換する。そして、シャッタスイッチ６６が操作されたときに、リターンミラー３９を光路から離脱させるとともに、フラッシュランプ１５を適量な光量で発光させる。また、制御部６５は、可視光カット赤外光透過フィルタ１３、エキサイタフィルタ１８、バリアフィルタ３４、前眼部レンズ３０、変倍レンズ３８ａ、３８ｂの光路への挿脱を制御し、さらに、撮影絞りユニット８０のソレノイド８１Ａ〜８１Ｃの駆動を制御する。
【００４８】
また、眼底カメラには、操作部（操作パネル）６９が設けられる。この操作部６９には、無散瞳、散瞳、及び蛍光の各撮影モードと、この各モードでのモノラル撮影（単眼撮影）とステレオ撮影を選択する撮影モード選択スイッチ、前眼部レンズ挿脱スイッチ、撮影位置選択スイッチなどが配置され、操作部６９で選択された各スイッチ情報が制御部６５に入力される。
【００４９】
更に、撮影する被検眼が左眼か右眼かを検知する左右眼検知部７０が設けられ、検知された左眼か右眼かの情報が制御部６５に入力される。
【００５０】
次に、以上のように構成された眼科撮影装置の動作について図８Ａ、図８Ｂの流れに沿って説明する。なお、以下では無散瞳撮影モードでの動作を説明する。
【００５１】
まず、装置の電源がオンされたとき（ステップＳ１）の初期設定として、撮影絞りユニット８０の各絞りの開閉状態は図９の表の上から１段目に示すようになっているものとする。すなわちソレノイド８１Ａ〜８１Ｃが全てオフされていて、移動絞り板３２ａが（ａ）位置に、また遮光板３３，３３’が共に開位置にあり、中央絞り３２ａとＦＤ光用窓３２ｂ，３２ｂ’が有効な開口として選択されている。また、可視光カット赤外光透過フィルタ１３は光路に挿入されているものとする。
【００５２】
次に、制御部６５は、操作部６９の撮影位置選択スイッチにより選択された撮影すべき眼底位置（部位）の情報と、左右眼検知部７０からの情報に基づき、固視灯５５ａ〜５５ｄのいずれか１つを選択して点灯させるので、被検者は、その点灯した固視灯を固視する（ステップＳ２）。
【００５３】
次に、操作部６９の撮影モード選択スイッチにより、モノラル撮影（単眼撮影）モードとステレオ撮影モード、３連発撮影モード（３枚連続撮影モード）のいずれかが選択され、その情報が制御部６５に入力される（ステップＳ３）。
【００５４】
次に、光源２７が点灯され、照明された前眼部からの反射光が前眼部レンズ３０を通過して、ＣＣＤ４０上に結像されて前眼部が撮像され、その画像がモニタ６２に表示され、前眼部アライメントが行われる（ステップＳ４）。前眼部アライメントが完了すると（ステップＳ５）、前眼部レンズ挿脱スイッチが操作されることにより（ステップＳ６）、光源２７に代わり光源２８が点灯され、また、リターンミラー３９が光路から離脱するので、前眼部がＣＣＤ４１で撮像され（ステップＳ７）、その画像がメモリ６１に格納される。制御演算部６０は、メモリ６１に格納された前眼部の画像を処理して、瞳孔径を演算すると共に、虹彩の色を判定する（ステップＳ８）。
【００５５】
続いて、光源２８が消灯されると共に、前眼部レンズ３０が光路から離脱される（ステップＳ９）。また、ハロゲンランプ１１が点灯されると共にリターンミラー３９が光路に挿入される。なおリターンミラー７１は光路から離脱される。
【００５６】
また、アライメントのために、ＷＤ用ＬＥＤ７３が点灯され、ＷＤ光がＷＤファイバー７５、７５’を介して前眼部に投影される。ハロゲンランプ１１から可視光カット赤外光透過フィルタ１３を通過した赤外光で照明された眼底Ｅｒからの光が固定絞り３１の中央絞り３１ａ並びに移動絞り板３２の中央絞り３２ａを通過してＣＣＤ４０に結像されて眼底が撮像され、その画像がＷＤ光の反射像とともにモニタ６２に表示される。ワーキングディスタンスが適正であると、ＷＤ光の反射像が所定の位置に結像されるので、検者はワーキングディスタンスが適正となるように光軸に沿ったアライメントを行う（ステップＳ１０）。
【００５７】
また、このときＦＤ用ＬＥＤ５０が点灯され、ＦＤ光が移動絞り板３２のＦＤ光用窓３２ｂ，３２ｂ’並びに固定絞り３１の左絞り３１ｂ、右絞り３１ｂ’を通過して眼底Ｅｒに投影される。検者が合焦レンズ３５を操作すると、合焦レンズ３５の移動と連動してレンズ５３が移動し、眼底上での指標像の分離状態が変化するので、検者は、指標像が一致するまで合焦レンズ３５を操作してフォーカス調整を実行し、眼底にピントを合わせる（ステップＳ１１）。
【００５８】
ピント合わせが終了したら（ステップＳ１２）、ステレオ撮影であるかどうかが判断される（ステップＳ１３）。モノラル撮影モードが選択されている場合、ステップＳ１５に移行してシャッタボタン６６がオンにされる。それに同期してソレノイド８１Ａ、８１Ｂがオンに切り換えられ、遮光板３３、３３’が移動してＦＤ光用窓３２ｂ，３２ｂ’が閉塞され、中央絞り３２ａのみが開放して固定絞り３１の中央絞り３１ａが開放する。なお、このとき遮光板３３，３３’の移動は、ソレノイド８１Ａ、８１Ｂの駆動により行うので、高速に行え、例えば図１０（ａ）に示すように１００msec程度で行え、観察時から撮影時への絞りの切り換えを瞬時に行うことができる。
【００５９】
また、シャッタスイッチ６６のオンに応じてリターンミラー３９が光路から離脱され、図１０（ａ）に示すように、遮光板３３，３３’の移動直後にフラッシュランプ１５が発光し、眼底が固定絞り３１の中央絞り３１ａ、移動絞り板３２の中央絞り３２ａを介して撮影される（ステップＳ１６、Ｓ１７）。この眼底画像は一旦メモリ６１に記録された後、制御演算部６０で処理されてハードディスク装置６４に記録される（ステップＳ１８）。このとき、眼底画像を被検眼ＩＤ、撮影日時、撮影光量（ストロボ発光量）、左右眼の区別、撮影絞りの位置などの撮影条件と関連付けして記録するようにする。
【００６０】
続いて、ステップＳ１９でモノラル撮影であるかどうかが判断され、今は、モノラル撮影であるので、図８ＢのステップＳ３５に移行して撮影を終了する。このとき、図１０（ａ）に示すように、絞りの開閉状態を初期状態（観察時の状態）に戻す。
【００６１】
一方、ステレオ撮影モードが選択されていた場合（ステップＳ１３の肯定）、シャッタスイッチ６６がオンにされると（ステップＳ１４）、制御部６５は、ソレノイド８１Ａ〜８１Ｃのオン、オフを図９の表の上から３段目に示す状態に切り換え（ステップＳ２０）、これにより、左のステレオ絞り３２ｄのみが有効な開口となる。このときの移動絞り板３２と遮光板３３’の移動も高速に行われ、例えば図１０（ｂ）に示すように１００msec程度で行え、絞りの切り換えを瞬時に行える。
【００６２】
続いてフラッシュランプ１５が発光し（ステップＳ２１）、固定絞り３１の左絞り３１ｂ、移動絞り板３２のステレオ絞り３２ｄを介して眼底を立体視するための左画像が撮影される（ステップＳ２２）。この左画像は、その画像を取得したときの撮影絞りの開口位置の情報を付してメモリ６１に記録される（ステップＳ２３）。
【００６３】
続いて、制御部６５は、ソレノイド８１Ａ〜８１Ｃのオン、オフを図８の表の３段目に示す状態から４段目に示す状態に切り換え、遮光板３３、３３’をそれぞれ閉位置、開位置に移動し、右のステレオ絞り３２ｄ’を開放する（ステップＳ３１）。この遮光板３３，３３’の移動も高速に行われ、図１０（ｂ）に示すように、例えば１００msec程度で瞬時に行われる。
【００６４】
そして、この遮光板３３，３３’の移動の直後にフラッシュランプ１５が自動的に発光し（ステップＳ３２）、立体視用の右画像が、固定絞り３１の右絞り３１ｂ’、移動絞り板３２のステレオ絞り３２ｄ’を介して撮影される（ステップＳ３３）。この右画像も、左画像と同様に、右画像を取得したときの撮影絞りの開口位置の情報を付してメモリ６１に記録される（ステップＳ３４）。右のステレオ撮影を行った後、撮影絞りの開閉状態を初期状態に戻し、ステレオ撮影が終了する（ステップＳ３５）。
【００６５】
このように、ステレオ撮影時、１回のシャッタ操作で撮影絞りのステレオ撮影用の２つの開口（３１ｂ、３１ｂ’；３２ｄ、３２ｄ’）の切り換えが自動的に行われ、その切り換えに同期してフラッシュランプ１５が自動的に発光するので、立体視用の左右の画像を１回のシャッタ操作で取得することができる。
【００６６】
なお、ステップＳ３で、３枚連続撮影モードが選択されている場合には、モノラル撮影に続いてステレオ撮影を連続して行うことができる。この場合には、図１０に一点鎖線で示したように、モノラル撮影を行った後、ステレオ撮影用の開口の切り換えに移行し、ステレオ撮影が行われる。これにより１回のシャッタ操作でフラッシュランプ１５が３回連続して発光し、１回目の発光で単眼画像が、２回目の発光で立体視用の左画像が、３回目の発光で立体視用の右画像がそれぞれ撮影される。
【００６７】
また、上述した実施例では、無散瞳撮影モードで説明したが、散瞳撮影モード、蛍光撮影モードでも行うことができる。散瞳撮影モードでは、可視光カット赤外光透過フィルタ１３が光路から離脱され、観察はリターンミラー７１を光路に挿入し、接眼レンズ７２を介して行われる。また、蛍光撮影の場合には、エキサイタフィルタ１８とバリアフィルタ３４を光路に挿入して撮影を行う。
【００６８】
また、メモリ６１に記録された画像を、所定のタイミングで外部記録装置６４に転送するようにする。このとき、モノラル撮影かどうかで、メモリ６１に記録された画像を、外部記録装置６４に転送するタイミングを変えるようにする。例えば、モノラル撮影時以外は、所定の枚数取り終えるまで、メモリ６１に画像が保存され、その後外部記録装置６４に取り込むようにする。なお蛍光撮影時には、制御演算部６０で画像を白黒画像に変換し、その変換された画像を外部記録装置６４に保存するようにする。
【００６９】
また、メモリ６１あるいは外部記録装置６４に記録された画像を呼び出して表示する場合は（ステップＳ３６）、撮影モードに応じて表示方法並びに表示手段（モニタ）を変えるようにする（ステップＳ３７からＳ３９）。例えば、モノラル撮影で撮影した眼底画像を表示する場合には、モニタ６２が自動的に選択され、該眼底画像がモニタ６２に静止画像として撮影条件情報を付して表示される。また、ステレオ撮影で得られた左右２枚の画像を呼び出して眼底を立体視する場合は、ステレオモニタ６３を使用して、左位置の情報が付された画像を左側に表示し、右位置情報が付された画像をその右側に並べ、他の撮影条件情報も付して表示する。
【００７０】
以上のように、本実施例では、撮影絞りの開口の切り換えを高速で瞬時に行うことができるので、例えばステレオ撮影時、立体視用の左右の２枚の眼底画像を撮影する間での縮瞳や位置ずれなどの問題を低減でき、良好なステレオ撮影を行うことができる。
【００７１】
また、２本のＷＤファイバー７５、７５’の先端部が、移動絞り板３２の移動方向である縦方向に沿って延びるように形成された長穴３２ｃ，３２ｃ’のそれぞれに挿通されて固定絞り板３１に固定されるので、ＷＤファイバーが移動絞り板３２の移動に干渉することがなく、ＷＤファイバーによる指標光の投影を支障なく行うことができる。
【００７２】
なお、ＷＤファイバー７５は、図１１に示すように、先端を屈曲させたＷＤファイバー７５の先端部を穴あきミラー２３の裏面に固定し、先端を開口２３ａの中央から少し突出させるように配置してもよい。こうすれば、固定絞り板３１は不要になり、移動絞り板３２にＷＤファイバー逃げ用の長穴を形成することも不要になる。
【実施例２】
【００７３】
次に、図１２〜図１５を用いて他の実施例を説明する。これらの図中において図１〜図１１中と共通ないし対応する部分には共通の符号を付してあり、共通部分の説明は省略する。
【００７４】
図１２に示す移動絞り板３２には、中央絞り３２ａとＦＤ光用窓３２ｂ，３２ｂ’が上下方向の上部で（ａ）の位置に並んで形成されていると共に、３対の左右のステレオ絞り３２ｄ，３２ｄ’、３２ｅ，３２ｅ’、及び３２ｆ，３２ｆ’が（ａ）より下方の（ｂ），（ｃ），（ｄ）の位置に形成されている。左のステレオ絞り３２ｄ，３２ｅ，３２ｆの左右方向の位置は固定絞り板３１の左絞り３１ｂに重なる位置であり、右のステレオ絞り３２ｄ’，３２ｅ’，３２ｆ’の左右方向の位置は右絞り３１ｂ’に重なる位置になっている。
【００７５】
また、ステレオ絞り３２ｄ，３２ｄ’、３２ｅ，３２ｅ’、及び３２ｆ，３２ｆ’は、それぞれに順に小視差ステレオ撮影、中視差ステレオ撮影、及び大視差ステレオ撮影に対応しており、その順に開口間の距離が大きくされており、それぞれ瞳間距離が例えば２ｍｍ，３ｍｍ，４ｍｍになる距離に設定されている。
【００７６】
なお、図示していないが、移動絞り板３２には、実施例１と同様にＷＤファイバー逃げ用の２つの長穴が形成されている。
【００７７】
また、図１３に示すように、遮光板３３，３３’は、実施例１と同様に、それぞれソレノイド８１Ａとソレノイド８１Ｂの駆動（オン、オフ）によって、固定絞り板３１の左右の絞り３１ｂ，３１ｂ’を閉塞して遮光する閉位置と開放する（遮光しない）開位置に往復移動される。
【００７８】
また、移動絞り板３２は、制御部６５により駆動されるステッピングモータ８２により位置Ｐ１〜Ｐ４のそれぞれの間で往復移動される。位置Ｐ１は、図１２中で移動絞り板３２の縦方向の（ａ）の位置が図１４に示すように撮影光軸２６とほぼ一致する位置である。この位置Ｐ１では、中央絞り３２ａとＦＤ光用窓３２ｂ，３２ｂ’が有効な開口となり、位置Ｐ２では、移動絞り板３２の（ｂ）の位置が撮影光軸２６とほぼ一致し、ステレオ絞り３２ｄ，３２ｄ’が有効な開口となる。また位置Ｐ３では、移動絞り板３２の（ｃ）の位置が撮影光軸２６とほぼ一致し、ステレオ絞り３２ｅ，３２ｅ’が有効な開口となり、位置Ｐ４では、移動絞り板３２の（ｄ）の位置が撮影光軸２６とほぼ一致し、ステレオ絞り３２ｆ，３２ｆ’が有効な開口となる。
【００７９】
移動絞り板３２をこれらの位置Ｐ１〜Ｐ４の何れかに移動した状態で、ソレノイド８１Ａ，８１Ｂをそれぞれ独立してオン又はオフして、遮光板３３，３３’を閉位置または開位置に移動させることにより、ＦＤ光用窓３２ｂ，３２ｂ’、ステレオ絞り３２ｄ，３２ｄ’、３２ｅ，３２ｅ’或いは３２ｆ，３２ｆ’の各対の２つの開口をそれぞれ独立して遮光または開放することができる。
【００８０】
各撮影モードでの絞り開口の切り換え状態が図１５に示されており、無散瞳、散瞳、及び蛍光のいずれの撮影モードでもフォーカス調整とモノラル観察時には、中央絞り３２ａとＦＤ光用窓３２ｂ，３２ｂ’が有効な開口として選択され、モノラル撮影時では中央絞り３２ａが有効な開口として選択される。ステレオ撮影時には、無散瞳撮影では小視差用のステレオ絞り３２ｄ又は３２ｄ’が、散瞳撮影で狭角の変倍レンズの場合には、小視差用のステレオ絞り３２ｄ又は３２ｄ’が、また広角の変倍レンズの場合には、中視差用のステレオ絞り３２ｅ又は３２ｅ’がそれぞれ選択される。また、蛍光撮影モードのときは、大視差用のステレオ絞り３２ｆ又は３２ｆ’が選択される。
【００８１】
なお、ステレオ絞りの左右の切り換えは、ソレノイド８１Ａ、８１Ｂの駆動によって遮光板３３，３３’を移動させて行うので、実施例１と同様に、高速で瞬時に行うことができる。
【００８２】
また、実施例１では、ＦＤ光はＵ字形部材の上部に設けた２つのミラーを用いてＦＤ光用窓３２ｂ，３２ｂ’を介して被検眼に投影されているが、その代りに図１４に示すようにリターンミラー７７を用いるようにしてもよい。リターンミラー７７は、移動絞り板３２が（ａ）の位置の高さがほぼ撮影光軸２６に一致する位置Ｐ１にあるときに撮影光路に挿入され、移動絞り板３２が位置Ｐ１から位置Ｐ２〜Ｐ４のいずれかに移動されるのに連動して撮影光路から離脱させられる。
【００８３】
以上のような本実施例の装置によれば、ステレオ撮影時に、３組の撮影絞り３２ｄ，３２ｄ’、３２ｅ，３２ｅ’及び３２ｆ，３２ｆ’の何れかを選択して用いることにより、瞳間距離を小中大の３種類の何れかに可変に設定することができる。これにより以下のような利点がある。
【００８４】
１）画角によって瞳間距離を変えられる利点
例えば画角が５０度の画像の方が２５度の画像よりモニタ上に表示される眼底範囲が広い。しかし、同じ瞳間距離で撮影した場合、５０度画像では奥行き感が得られず、網膜の小さな凹凸情報は見落としてしまうという問題がある。これに対して、２５度画像だと小さな凹凸の奥行き感があるので、見落としの恐れはない。しかし、観察範囲が小さいため、例えば緩やかに凹凸がある黄斑疾患などは、全体像を把握できないという問題がある。
【００８５】
この両者の問題点を克服するには、２５度撮影と５０度撮影で瞳間距離を変えるのが良い。つまり５０度では２５度に比べて、例えば瞳間距離を大きくすることで問題点を克服できる。ただし、５０度の方がフレアが入り易いため、瞳間距離を長くした分だけ、より一層フレアが入りやすくなるというデメリットもある。
【００８６】
２）カラー撮影と蛍光撮影で瞳間距離を変えられる利点
瞳間距離を長く取ることは、視差が増えるので単純に立体視にとって有利である。しかしながら、瞳間距離を長くすると、フレアが入り易くなる。ところが、蛍光撮影の場合には励起光の波長がバリアフィルタによってカットされるので、原理的にフレアが入らない。そのため、蛍光撮影ではフレアを気にすることなく、瞳間距離を長く取ることができる。この理由から、ＦＡＧ撮影モードではカラー撮影モードに比べて、瞳間距離を長くして、立体視に有利にすることができる。
【００８７】
３）散瞳モードと無散瞳モードで瞳間距離を変えられる利点
散瞳モードでは撮影可能瞳孔径が例えば５．５ｍｍ、無散瞳モードでは４．０ｍｍという仕様が求められている。それに合わせて、ステレオ撮影時の瞳間距離を変えることで、得られる撮影光量とステレオ視差量とのやりくりの中で最も効率が良い組み合わせが得られる。例えば、撮影可能瞳孔径５．５ｍｍでは瞳間距離を３ｍｍに設定し、撮影可能瞳孔径４ｍｍでは瞳間距離を２ｍｍに設定するのが、ベストと考えられる。なお、図１５では、散瞳モードの広角時のみ無散瞳モードとで瞳間距離を変えている。
【００８８】
なお、本実施例の図１２に示した移動絞り板３２の各撮影絞りの開口の配置に関して、以下のように変更してもよい。
【００８９】
まず、観察時とモノラル撮影時に選択する中央絞り３２ａの大きさを複数種類用意して、小瞳孔撮影や蛍光での高倍（狭角）撮影に対応させることもできる。
【００９０】
また、（ａ）の位置から他の位置への移動はなるべく速く行った方がよいので、（ａ）の位置を（ｂ）と（ｃ）の位置間、あるいは（ｃ）と（ｄ）の位置間に配置してもよい。
【００９１】
具体的な配置例として、例えば、移動絞り板３２の上から順に以下のようにすることが考えられる。なお、（ａ１）の位置には、（ａ）の位置の中央絞りより小さな中央絞りが配置され、（ａ２）の位置には、（ａ）の位置の中央絞りが大きい中央絞りが配置される。
【００９２】
位置（ａ１）無散瞳・小瞳孔径の場合での観察・モノラル撮影用の絞りを配置
位置（ｂ）  小視差ステレオ撮影用の絞りを配置
位置（ａ）  通常の観察・モノラル撮影用の絞りを配置
位置（ｃ)   中視差ステレオ撮影用の絞りを配置
位置 (ａ２) 蛍光時の観察・モノラル撮影用の絞りを配置
位置(ｄ)    蛍光時の大視差ステレオ撮影用の絞りを配置
なお、上述した実施例１、２において遮光板３３、３３’を移動させるソレノイド８１Ａ〜８１Ｃにプッシュプルソレノイドを用いるようにしているが、それに代えてロータリーソレノイドを用いるようにしてもよい。この場合には、ロータリーソレノイドの回転を遮光板の横方向に変換する機構を介して遮光板を移動させるようにする。
【図面の簡単な説明】
【００９３】
【図１】本発明の眼科撮影装置の全体の構成を示す構成図である。
【図２】同装置の撮影モードにより切り換えられるリングスリットのパターンを示す表図である。
【図３】同装置に設けられる穴あき全反射ミラーの平面図である。
【図４】同装置の撮影絞りユニットを構成する固定絞り板、移動絞り板、及び遮光板を示す平面図である。
【図５】同撮影絞りユニットの構成と、移動絞り板及び遮光板の移動の様子を示す説明図である。
【図６】穴あきミラー、固定絞り板、遮光板、及び移動絞り板の撮影光軸に沿った配置を示す説明図である。
【図７】ＷＤファイバーの固定構造を示す断面図である。
【図８Ａ】撮影モードを選択して行われる眼底撮影の流れを示すフローチャートである。
【図８Ｂ】撮影モードを選択して行われる眼底撮影の流れを示す図８Ａに続くフローチャートである。
【図９】眼底カメラのモード、撮影絞りの切り換え状態、ソレノイドのオン、オフ、及び発光する光源の関係を示す表図である。
【図１０】モノラル撮影とステレオ撮影での有効な撮影絞りの切り換えのための遮光板ないし移動絞り板の移動と観察、撮影、及び光源の発光のタイミングを示すタイミング図である。
【図１１】ＷＤファイバー固定の他の例を示す断面図である。
【図１２】他の実施例での撮影絞りユニットの固定絞り板、移動絞り板、及び遮光板を示す平面図である。
【図１３】同撮影絞りユニットの構成と、移動絞り板及び遮光板の移動の様子を示す説明図である。
【図１４】穴あきミラー、固定絞り板、遮光板、及び移動絞り板の撮影光軸に沿った配置を示す説明図である。
【図１５】他の実施例での眼底カメラのモード、撮影絞りの切り換え状態、ステッピングモータの移動位置、ソレノイドのオン、オフ、発光する光源、及び撮影モードの関係を示す表図である。
【符号の説明】
【００９４】
１０  眼底カメラ
１１  ハロゲンランプ
１５  フラッシュランプ
２１  リングスリット
２３  穴あき全反射ミラー
２４  対物レンズ
２６  撮影光軸
３１  固定絞り板
３２  移動絞り板
３３，３３’  遮光板
４０，４１  ＣＣＤ
５０  ＦＤ用ＬＥＤ
５４  ＦＤ光反射用のミラー
７３  ＷＤ用ＬＥＤ
７５  ＷＤファイバー
７７  リターンミラー
８０  撮影絞りユニット
８１Ａ〜８１Ｃ  ソレノイド
８２  ステッピングモータ
【図１】
2008055010.tif 000003
【図２】
2008055010.tif 000004
【図３】
2008055010.tif 000005
【図４】
2008055010.tif 000006
【図５】
2008055010.tif 000007
【図６】
2008055010.tif 000008
【図７】
2008055010.tif 000009
【図８Ａ】
2008055010.tif 000010
【図８Ｂ】
2008055010.tif 000011
【図９】
2008055010.tif 000012
【図１０】
2008055010.tif 000013
【図１１】
2008055010.tif 000014
【図１２】
2008055010.tif 000015
【図１３】
2008055010.tif 000016
【図１４】
2008055010.tif 000017
【図１５】
2008055010.tif 000018